(57)【特許請求の範囲】
【請求項１】
発光して光を出射する複数の発光素子と、
入射された光を受光する複数の受光素子と、
前記発光素子の光の出射光軸と前記受光素子の光の入射光軸とが交差する位置に配置された凹状の複数の反射部を有する透明板部と、を備え、
前記反射部は、
前記透明板部の側面から入射した前記発光素子の出射光軸を透過させるとともに前記透明板部の平面に垂直な方向に反射させる第１の反射面と、
前記受光素子の入射光軸を透過させるとともに前記透明板部の平面に垂直な方向に反射させる第２の反射面と、を有するタッチパネル。
【請求項２】
前記複数の発光素子は、当該各発光素子を周期的に順に点灯させる入力信号が入力される請求項１に記載のタッチパネル。
【発明の詳細な説明】
【技術分野】
【０００１】
本発明は、タッチパネルに関する。
【背景技術】
【０００２】
従来、光学的な反射を利用して被検出物の有無を検出する方法として、発光素子からの光を被検出物に投光しその反射光を受光素子で受ける光学式反射物体検出装置が知られている。
【０００３】
ここで、図２６及び図２７を参照して、従来の光学式反射物体検出装置を説明する。図２６に、従来の光学式反射物体検出装置３００の構成を示す。図２７に、従来の光学式反射物体検出装置３００Ａの構成を示す。
【０００４】
図２６に示すように、従来の光学式反射物体検出装置３００は、ＬＥＤ（Light Emitting Diode）等の発光素子１Ａと、ＰＴｒ（Photo Transistor）等の受光素子２Ａと、遮光壁７Ｂと、を備える。光学式反射物体検出装置３００では、発光素子１Ａの光軸と、受光素子２Ａの光軸とが、同じ方向（平行）になるように、発光素子１Ａ及び受光素子２Ａが配置面上に配置されている。発光素子１Ａ及び受光素子２Ａの光軸と、被検出物の検出方向とは、配置面に垂直な方向である。光学式反射物体検出装置３００は、検出装置の高さから検出不可領域をおいて、被検出物を検出可能な検出領域ＡＲ１を有する。
【０００５】
図２７に示すように、従来の光学式反射物体検出装置３００Ａは、発光素子１Ａと、受光素子２Ａと、遮光壁７Ｂと、を備える。光学式反射物体検出装置３００Ａでは、発光素子１Ａの光軸と、受光素子２Ａの光軸とが、検出領域ＡＲ２で反射するように、発光素子１Ａ及び受光素子２Ａが配置面上に傾けられて配置されている。光学式反射物体検出装置３００Ａは、同様に検出不可領域をおいて、検出領域ＡＲ２を有する。
【０００６】
光学式反射物体検出装置３００，３００Ａの配置面に対する高さは、発光素子１Ａ及び受光素子２Ａの高さにより決まる。
【０００７】
光学式反射物体検出装置３００では、発光素子１Ａ、受光素子２Ａの高さ（光の出射及び入射方向の長さ）により検出装置全体の高さが決まる。このため、発光素子１Ａ、受光素子２Ａの高さが高い場合は、検出装置の高さを低くすることが難しかった。これを改善するために、光軸が同じ方向になるよう対向して配置された発光素子及び受光素子と、発光素子及び受光素子の間に、発光素子から出射された光を検出方向に反射する発光側反射部材と、検出方向から入射された光を受光素子に反射する受光側反射部材と、を備えるフォトリフレクタが知られている（例えば、特許文献１参照）。このフォトリフレクタの検出方向は、発光素子及び受光素子の光軸に垂直な方向である。
【０００８】
また、光学式反射物体検出装置３００Ａでは、発光素子１Ａ及び受光素子２Ａの間の距離及び反射角度の関係で、検出領域ＡＲ２が限定されていた。これを改善するために、光軸が同じ方向になるよう並列して配置された発光素子及び受光素子と、発光素子及び受光素子の上方に、回転により検出領域の位置が可変な光学レンズと、を備える光学式物体検出装置が知られている（例えば、特許文献２参照）。
【０００９】
また、従来、人や物が触れたことを検出するタッチパネルは、赤外線走査方式や、抵抗膜方式、静電容量方式（プロジェクテッド・キャパシティブ、サーフェイス・キャパシティブ）、超音波表面弾性波方式、ＡＰＲ（Acoustic Pulse Recognition：音響波照合）方式、赤外線イメージ・センサ方式があった。
【００１０】
図２８及び図２９を参照して、従来の赤外線走査方式のタッチパネルを説明する。図２８に、従来の赤外線走査方式のタッチパネル４００の断面構成を示す。図２９に、タッチパネル４００の平面構成を示す。
【００１１】
図２８及び図２９に示すように、従来の赤外線走査方式のタッチパネル４００は、光軸が同じになるよう対向して設けられた発光素子１１Ｂ〜１９Ｂ及び受光素子２１Ｂ〜２９Ｂと、ＬＣＤ（Liquid Crystal Display）等の表示器４と、透明板部５Ｈと、基板９Ａと、パネルカバーＰと、を備える。
【００１２】
発光素子１１Ｂ〜１９Ｂと、受光素子２１Ｂ〜２９Ｂとは、Ｘ方向及びＹ方向のＸ−Ｙ平面において、マトリクス状に配置されている。発光素子１１Ｂ〜１９Ｂは、それぞれ順に、受光素子２１Ｂ〜２９Ｂとペアをなしている。
【００１３】
例えば、発光素子１１Ｂから出射された赤外線光が、受光素子２１Ｂに入射されて検出される。非検出物が、発光素子１１Ｂから出射された赤外線光を遮ると、受光素子２１Ｂの検出がオフとなる。どの受光素子の検出がオフとなっているかを検出することにより、Ｘ−Ｙの座標が検出される。
【先行技術文献】
【特許文献】
【００１４】
【特許文献１】特開２００９−１６６９８号公報
【特許文献２】特開平５−３４４６４号公報
【発明の概要】
【発明が解決しようとする課題】
【００１５】
しかし、従来の発光側反射部材及び受光側反射部材を有するフォトリフレクタでは、発光素子、受光素子が対向して並べて配置される。このため、発光素子、受光素子の位置の自由度が制限されていた。
【００１６】
従来の光学レンズを備える光学式物体検出装置では、発光素子、受光素子が並べて配置されていた。このため、発光素子、受光素子の位置の自由度が制限されていた。
【００１７】
従来のタッチパネル４００では、対向する発光素子１１Ｂ〜１９Ｂ及び受光素子２１Ｂ〜２９Ｂの間に指等を入れるため、発光素子及び受光素子が飛び出た形で、透明板部５Ｈのタッチ面が凹む形でしか成り立たなかった。また、マトリクスの行及び列毎に、発光素子に対し受光素子が一対一で必要であった。このため、発光素子、受光素子の位置の自由度が制限されていた。
【００１８】
本発明の課題は、発光素子及び受光素子の位置の自由度を上げることである。
【課題を解決するための手段】
【００２２】
上記課題を解決するため、請求項１に記載の発明のタッチパネルは、
発光して光を出射する複数の発光素子と、
入射された光を受光する複数の受光素子と、
前記発光素子の光の出射光軸と前記受光素子の光の入射光軸とが交差する位置に配置された凹状の複数の反射部を有する透明板部と、を備え、
前記反射部は、
前記透明板部の側面から入射した前記発光素子の出射光軸を透過させるとともに前記透明板部の平面に垂直な方向に反射させる第１の反射面と、
前記受光素子の入射光軸を透過させるとともに前記透明板部の平面に垂直な方向に反射させる第２の反射面と、を有する。
【００２３】
請求項２に記載の発明は、請求項１に記載のタッチパネルにおいて、
前記複数の発光素子は、当該各発光素子を周期的に順に点灯させる入力信号が入力される。
【発明の効果】
【００２４】
本発明によれば、発光素子及び受光素子の位置の自由度を上げることができる。
【図面の簡単な説明】
【００２５】
【図１】本発明に係る第１の実施の形態の光学式反射物体検出装置の平面図である。
【図２】図１における矢印IIから視た第１の実施の形態の光学式反射物体検出装置を示す図である。
【図３】（ａ）は、第１の実施の形態の光学式反射物体検出装置の反射部の正面図である。（ｂ）は、同じく反射部の左側面図である。（ｃ）は、同じく反射部の右側面図である。（ｄ）は、同じく反射部の上面図である。（ｅ）は、同じく反射部の下面図である。（ｆ）は、同じく反射部のアイソメ図である。
【図４】第１の実施の形態の被検出物の検出時の光学式反射物体検出装置を示す図である。
【図５】第１の実施の形態の第１の変形例の光学式反射物体検出装置の平面図である。
【図６】第１の実施の形態の第２の変形例の光学式反射物体検出装置の平面図である。
【図７】（ａ）は、第１の実施の形態の第３の変形例の第１の反射部の正面図である。（ｂ）は、同じく第１の反射部の左側面図である。（ｃ）は、同じく第１の反射部の右側面図である。（ｄ）は、同じく第１の反射部の上面図である。（ｅ）は、同じく第１の反射部の下面図である。（ｆ）は、同じく第１の反射部のアイソメ図である。
【図８】（ａ）は、第１の実施の形態の第３の変形例の第２の反射部の正面図である。（ｂ）は、同じく第２の反射部の左側面図である。（ｃ）は、同じく第２の反射部の右側面図である。（ｄ）は、同じく第２の反射部の上面図である。（ｅ）は、同じく第２の反射部の下面図である。（ｆ）は、同じく第２の反射部のアイソメ図である。
【図９】第１の実施の形態の第４の変形例の光学式反射物体検出装置の斜視図である。
【図１０】第１の実施の形態の第５の変形例の光学式反射物体検出装置の斜視図である。
【図１１】第１の実施の形態の第６の変形例の光学式反射物体検出装置の斜視図である。
【図１２】第１の実施の形態の第７の変形例の光学式反射物体検出装置の斜視図である。
【図１３】第１の実施の形態の第８の変形例の光学式反射物体検出装置の斜視図である。
【図１４】第１の実施の形態の第９の変形例の光学式反射物体検出装置の斜視図である。
【図１５】第１の実施の形態の第１０の変形例の光学式反射物体検出装置の斜視図である。
【図１６】本発明に係る第２の実施の形態のタッチパネルの斜視図である。
【図１７】（ａ）に、第２の実施の形態のタッチパネルの正面図である。（ｂ）は、タッチパネルの側面図である。（ｃ）は、タッチパネルの上面図である。
【図１８】反射部上に１個の被検出物が置かれた第２の実施の形態のタッチパネルの斜視図である。
【図１９】（ａ）は、反射部上に１個の被検出物が置かれた第２の実施の形態のタッチパネルの正面図である。（ｂ）は、同じく反射部上に１個の被検出物が置かれたタッチパネルの側面図である。（ｃ）は、同じく反射部上に１個の被検出物が置かれたタッチパネルの上面図である。
【図２０】反射部上に１個の被検出物が置かれたタッチパネルの発光素子の入力信号と、受光素子の出力信号と、のタイミングチャートである。
【図２１】６個の被検出物が置かれた第２の実施の形態のタッチパネルの平面図である。
【図２２】（ａ）は、６個の被検出物が置かれた第２の実施の形態のタッチパネルにおける発光素子の入力信号のタイミングチャートである。（ｂ）は、第１、第２の被検出物が置かれた場合の受光素子の出力信号のタイミングチャートである。（ｃ）は、第３、第４の被検出物が置かれた場合の受光素子の出力信号のタイミングチャートである。（ｄ）は、第５、第６の被検出物が置かれた場合の受光素子の出力信号のタイミングチャートである。
【図２３】第２の実施の形態の第１の変形例のタッチパネルの上面図である。
【図２４】第２の実施の形態の第２の変形例のタッチパネルの上面図である。
【図２５】（ａ）は、第２の実施の形態の第３の変形例のタッチパネルの上面図である。（ｂ）は、（ａ）の矢印XXVbから視た第３の変形例のタッチパネルの構成を示す図である。
【図２６】従来の第１の光学式反射物体検出装置の構成を示す図である。
【図２７】従来の第２の光学式反射物体検出装置の構成を示す図である。
【図２８】従来の赤外線走査方式のタッチパネルの断面図である。
【図２９】従来の赤外線走査方式のタッチパネルの正面図である。
【発明を実施するための形態】
【００２６】
以下、添付図面を参照して本発明に係る第１実施の形態、その第１〜第１０の変形例、第２実施の形態、その第１〜第３の変形例、を順に詳細に説明する。ただし、発明の範囲は、図示例に限定されない。
【００２７】
（第１の実施の形態）
図１〜図４を参照して、本発明に係る第１の実施の形態を説明する。先ず、図１〜図３を参照して、本実施の形態の装置構成を説明する。図１に、本実施の形態の光学式反射物体検出装置１００の平面の構成を示す。図２に、図１における矢印IIから視た光学式反射物体検出装置１００の構成を示す。図３（ａ）に、反射部３の正面の構成を示す。図３（ｂ）に、反射部３の左側面の構成を示す。図３（ｃ）に、反射部３の右側面の構成を示す。図３（ｄ）に、反射部３の上面の構成を示す。図３（ｅ）に、反射部３の下面の構成を示す。図３（ｆ）に、反射部３の斜視の構成（アイソメ図）を示す。
【００２８】
本実施の形態の光学式反射物体検出装置１００は、被検出物に光をあて、その反射光により当該被検出物を検出する装置である。図１及び図２に示すように、光学式反射物体検出装置１００は、発光素子１と、受光素子２と、反射部３と、を備える。発光素子１は、赤外光を出射するＬＥＤ等の発光素子であり、入力される電気信号に応じて発光して光を出射する。発光素子１の出射光は、赤外光以外の光としてもよい。受光素子２は、ＰＴｒ等の受光素子であり、入射された光を受光して光電変換し、電気信号としての被検出物の検出信号を出力する。発光素子１及び受光素子２が配置されている平面を、配置面とする。発光素子１及び受光素子２は、発光素子１の光を出射する光軸（出射光軸）と受光素子２の光が入射される光軸（入射光軸）とが配置面に平行になるように、当該配置面上に配置されている。
【００２９】
光学式反射物体検出装置１００において、発光素子１、受光素子２は、発光素子１から出射された光が直接受光素子２に入射しない（配置面上の）位置に配置されている。検出方向とは、被検出物の検出方向であり、この検出方向に被検出物の検出領域ＡＲが形成される。図２では、検出方向は、配置面に垂直な方向である。また、光学式反射物体検出装置１００において、発光素子１の出射光軸と、受光素子２の入射光軸と、が交差する配置面上の部分に、反射部３が配置されている。
【００３０】
図３（ａ）〜（ｆ）に示すように、反射部３は、四角錐の形状を有し、光を反射する光学部品である。反射部３は、発光素子１の出射光軸を検出方向に反射させる反射面３ａと、受光素子２の入射光軸を検出方向に反射させる反射面３ｂと、を有する。
【００３１】
次いで、図４を参照して、光学式反射物体検出装置１００の動作を説明する。図４に、被検出物Ｄ１の検出時の光学式反射物体検出装置１００を示す。
【００３２】
図４に示すように、光学式反射物体検出装置１００による被検出物Ｄ１の検出において、発光素子１から出射された光は、反射部３の反射面３ａにより反射されて検出方向に向かう。その反射光は、被検出物Ｄ１により反射され、検出方向の逆方向に向かい、受光素子２側に向かう反射部３の反射面３ｂにより反射されて受光素子２に到達する。そして、受光素子２は、入射光を検出して被検出物Ｄ１の存在を示す電気信号を出力する。この電気信号により、被検出物Ｄ１の存在が検出される。
【００３３】
また、被検出物Ｄ１が存在しない場合に、反射部３から検出方向に光が放射（反射）されるだけで、受光素子２に到達する光が無いため、受光素子２は、被検出物が無いことを示す電気信号を出力する。この電気信号により、被検出物Ｄ１が無いことが検出される。
【００３４】
以上、本実施の形態によれば、光学式反射物体検出装置１００は、発光素子１から出射された光を検出方向に反射する反射面３ａと、検出方向から入射された光を受光素子２に反射する反射面３ｂとを有する反射部３を備える。このため、発光素子１、受光素子２を並べて又は近傍に配置しなくてもよく、発光素子１、受光素子２の位置の自由度を上げることができる。
【００３５】
また、光学式反射物体検出装置１００は、発光素子１、受光素子２の高さ（光の出射方向、入射方向の長さ）が高い物についても、発光素子１、受光素子２を寝かせて（光軸を配置面に平行にして）配置する。このため、発光素子１、受光素子２の厚みにより決まる高さに収めることができ、光学式反射物体検出装置１００全体の高さを低くできる。
【００３６】
また、光学式反射物体検出装置１００は、反射部３により、発光側の反射面３ａと受光側の反射面３ｂとを、距離を近くにして配置する。このため、検出方向に対する発光側、受光側の光軸を近くすることができるため、検出不可能領域を低減でき、検出領域を発光素子１、受光素子２側に近くすることができる。
【００３７】
また、反射部３の反射面３ａ，３ｂの傾斜角度及び配置間隔を変えることにより、検出領域を変えることができる。
【００３８】
また、発光素子１及び受光素子２は、発光素子１から出射された光が直接受光素子２に入射しない位置に配置される。このため、遮光壁が無くても、発光素子１から出射された光が受光素子２に直接入射することを防ぐことができる。
【００３９】
（第１の実施の形態の第１の変形例）
図５を参照して、第１の実施の形態の第１の変形例を説明する。図５に、本変形例の光学式反射物体検出装置１００Ａの平面構成を示す。
【００４０】
本変形例では、上記で説明した部材と同じ部材に、同じ符号を付して、その部材の説明を省略するものとし、以下の実施の形態、変形例の説明でも同様でであるものとする。
【００４１】
図５に示すように、光学式反射物体検出装置１００Ａは、発光素子１と、受光素子２と、反射部３と、表示器４と、を備える。表示器４は、ＬＥＤ、ＥＬＤ（electroluminescent display）等の平面の表示器である。反射部３は、表示器４の表示画面上に配置されている。表示器４の表示画面は、検出方向に垂直な平面である。つまり、表示器４の表示画面上で、被検出物が検出される。
【００４２】
以上、本変形例によれば、光学式反射物体検出装置１００Ａは、第１の実施の形態の光学式反射物体検出装置１００と同様の効果を奏する。また、光学式反射物体検出装置１００Ａは、表示器４を備える。このため、検出部分（反射部３を配置した領域）の平面に各種表示をすることができる。特に、反射部３のみ、表示器４の表示への影響が出るため、反射部３を小さくすることにより表示器４の表示に対し影響を少なくすることができる。
【００４３】
なお、表示器４に代えて、印刷表示、表示照明等、他の表示部としてもよい。
【００４４】
（第１の実施の形態の第２の変形例）
図６を参照して、第１の実施の形態の第２の変形例を説明する。図６に、本変形例の光学式反射物体検出装置１００Ｂの平面構成を示す。
【００４５】
図６に示すように、光学式反射物体検出装置１００Ｂは、発光素子１と、受光素子２１〜２４と、反射部３１〜３４と、を備える。受光素子２１〜２４は、それぞれ受光素子２と同様の構成である。反射部３１〜３４は、それぞれ反射部３と同様の構成である。
【００４６】
反射部３１〜３４の配列軸は、発光素子１の出射光軸とずらされている。光学式反射物体検出装置１００Ｂにおいて、１個の発光素子１から出射された光は、４個の反射部３１〜３４のそれぞれの反射面３ａに導かれて反射され、被検出物及び反射部３１〜３４の反射面３ｂで反射された後、４個の受光素子２１〜２４それぞれで受光される。そして、反射部３１〜３４の４つの検出方向の検出領域で、被検出物が受光素子２１〜２４により別々に検出される。
【００４７】
以上、本変形例によれば、光学式反射物体検出装置１００Ｂは、第１の実施の形態の光学式反射物体検出装置１００と同様の効果を奏する。また、光学式反射物体検出装置１００Ｂは、１個の発光素子１から出射された光が導かれる反射部３１〜３４と、受光素子２１〜２４と、を備える。このため、１個の発光素子１で、４個の被検出物を同時に検出できる。
【００４８】
なお、反射部の数と、受光素子の数とは、それぞれ、４以外の複数としてもよい。
【００４９】
（第１の実施の形態の第３の変形例）
図７及び図８を参照して、第１の実施の形態の第３の変形例を説明する。図７（ａ）に、反射部３Ａの正面の構成を示す。図７（ｂ）に、反射部３Ａの左側面の構成を示す。図７（ｃ）に、反射部３Ａの右側面の構成を示す。図７（ｄ）に、反射部３Ａの上面の構成を示す。図７（ｅ）に、反射部３Ａの下面の構成を示す。図７（ｆ）に、反射部３Ａの斜視の構成（アイソメ図）を示す。図８（ａ）に、反射部３Ｂの正面の構成を示す。図８（ｂ）に、反射部３Ｂの左側面の構成を示す。図８（ｃ）に、反射部３Ｂの右側面の構成を示す。図８（ｄ）に、反射部３Ｂの上面の構成を示す。図８（ｅ）に、反射部３Ｂの下面の構成を示す。図８（ｆ）に、反射部３Ｂの斜視の構成（アイソメ図）を示す。
【００５０】
本変形例の第１の装置構成は、第１の実施の形態の光学式反射物体検出装置１００において、反射部３を、図７（ａ）〜図７（ｆ）に示す反射部３Ａに代えた構成である。反射部３Ａは、三角柱を組み合わせた構造を有する。反射部３Ａは、反射部３と同様に、発光素子１の出射光軸を検出方向に反射させる反射面３ｃと、受光素子２の入射光軸を検出方向に反射させる反射面３ｄと、を有する。
【００５１】
本変形例の第２の装置構成は、第１の実施の形態の光学式反射物体検出装置１００において、反射部３を、図８（ａ）〜図８（ｆ）に示す反射部３Ｂに代えた構成である。反射部３Ｂは、立方体を四角錘でカットした構造を有する。反射部３Ｂは、反射部３と同様に、発光素子１の出射光軸を検出方向に反射させる反射面３ｅと、受光素子２の入射光軸を検出方向に反射させる反射面３ｆと、を有する。
【００５２】
以上、本変形例によれば、反射部３Ａ又は反射部３Ｂを有する光学式反射物体検出装置は、第１の実施の形態の光学式反射物体検出装置１００と同様の効果を奏する。
【００５３】
（第１の実施の形態の第４の変形例）
図９を参照して、第１の実施の形態の第４の変形例を説明する。図９に、本変形例の光学式反射物体検出装置１００Ｃの斜視の構成を示す。
【００５４】
上記第１の実施の形態の光学式反射物体検出装置１００において、透明板部を設け、被検出物Ｄ１が透明板部の表面で検出される様に、受光素子２の電気回路等の調整により検出領域を設定することによって、透明板部の表面にユーザの指等が触れたことを検出できるタッチスイッチ、タッチセンサとして機能させることができる。本変形例の光学式反射物体検出装置１００Ｃは、このようにタッチスイッチ、タッチセンサとして機能する光学式反射物体検出装置である。
【００５５】
図９に示すように、光学式反射物体検出装置１００Ｃは、発光素子１と、受光素子２と、透明板部５と、を備える。透明板部５は、透明樹脂を材料とし、凹状構造部分（空間部分）としての反射部６が下面に形成されている透明板である。この透明樹脂は、発光素子１の出射光、受光素子２の入射光を赤外光等とした場合は、可視光領域では透明とならないもの（赤外光を透過、反射できる素材）としてもよい。反射部６の形状は、反射部３の形状と同様である。反射部６は、発光素子１の出射光軸を透過させるとともに被検出物の検出方向に反射させる反射面６ａと、受光素子２の入射光軸を透過させるとともに検出方向に反射させる反射面６ｂと、を有する。発光素子１及び受光素子２は、光軸が、透明板部５内を通り、且つ透明板部５の平面（表面）に平行になるように配置されている。
【００５６】
光学式反射物体検出装置１００Ｃにおいて、発光素子１から出射された光は、透明板部５の側面から入射され反射部６の反射面６ａで反射され、透明板部５を通って検出方向に放射される。その放射光は、被検出物Ｄ１で反射され、透明板部５を通って反射部６の反射面６ｂで反射され、透明板部５を通って受光素子２に入射される。
【００５７】
以上、本変形例によれば、光学式反射物体検出装置１００Ｃは、第１の実施の形態の光学式反射物体検出装置１００と同様の効果を奏する。また、光学式反射物体検出装置１００Ｃでは、透明板部５が反射部３と同形状の凹状の反射部６を有する。このため、透明板部を有する光学式反射物体検出装置において、別に反射部３を設けること無く、装置構成を簡単にすることができる。
【００５８】
（第１の実施の形態の第５の変形例）
図１０を参照して、第１の実施の形態の第５の変形例を説明する。図１０に、本変形例の光学式反射物体検出装置１００Ｄの斜視の構成を示す。
【００５９】
本変形例の光学式反射物体検出装置１００Ｄは、タッチスイッチ、タッチセンサとして機能する光学式反射物体検出装置である。図１０に示すように、光学式反射物体検出装置１００Ｄは、発光素子１と、受光素子２と、表示器４と、透明板部５と、を備える。表示器４は、表示画面が透明板部５の平面の下になるように配置されている。なお、表示器４に代えて、印刷表示、表示照明等、他の表示部としてもよい。
【００６０】
以上、本変形例によれば、光学式反射物体検出装置１００Ｄは、第１の実施の形態の光学式反射物体検出装置１００と同様の効果を奏する。また、光学式反射物体検出装置１００Ｄは、第１の実施の形態の第１の変形例の光学式反射物体検出装置１００Ａと同様に、検出部分（反射部６を配置した部分）の平面に各種表示をすることができる。また、光学式反射物体検出装置１００Ｄでは、検出方向の光を遮らない限り、透明板部５の表面（上面）に印刷等の表示もできる。
【００６１】
（第１の実施の形態の第６の変形例）
図１１を参照して、第１の実施の形態の第６の変形例を説明する。図１１に、本変形例の光学式反射物体検出装置１００Ｅの斜視の構成を示す。
【００６２】
本変形例の光学式反射物体検出装置１００Ｅは、タッチスイッチ、タッチセンサとして機能する光学式反射物体検出装置である。図１１に示すように、光学式反射物体検出装置１００Ｅは、発光素子１と、受光素子２と、透明板部５Ａと、を備える。透明板部５Ａは、透明板５１と、透明反射部５２，５３と、を有する。光学式反射物体検出装置１００Ｅにおいて、発光素子１及び受光素子２は、光軸が透明板部５Ａの平面に垂直な方向（検出方向に平行な方向）になるように配置されている。
【００６３】
透明板５１は、透明板部５と同様に、反射部６を有する透明板である。透明反射部５２は、透明板５１の側面で且つ発光素子１の上方に設けられた透明樹脂の反射部である。透明反射部５２は、発光素子１の出射光軸を反射部３に反射する反射面５２ａを有する。透明反射部５３は、透明板５１の側面で且つ受光素子２の上方に設けられた透明樹脂の反射部である。透明反射部５３は、受光素子２の入射光軸を反射部３に反射する反射面５３ａを有する。
【００６４】
光学式反射物体検出装置１００Ｅにおいて、発光素子１から出射された光は、透明反射部５２の下面から入射され反射面５２ａで反射され透明板５１を通って反射部６の反射面６ａで反射され、透明板５１を通って検出方向に放射される。その放射光は、被検出物Ｄ１で反射され、透明板５１を通って反射部６の反射面６ｂで反射され、透明板５１を通って透明反射部５３の反射面５３ａで反射され、受光素子２に入射される。
【００６５】
以上、本変形例によれば、光学式反射物体検出装置１００Ｅは、第１の実施の形態の光学式反射物体検出装置１００と同様の効果を奏する。また、光学式反射物体検出装置１００Ｅでは、透明板部５Ａが透明反射部５２，５３を有する。このため、発光素子１、受光素子２の光軸を透明反射部５３の平面に垂直にでき、発光素子１、受光素子２の配置方向等の自由度を上げることができる。
【００６６】
（第１の実施の形態の第７の変形例）
図１２を参照して、第１の実施の形態の第７の変形例を説明する。図１２に、本変形例の光学式反射物体検出装置１００Ｆの斜視の構成を示す。
【００６７】
本変形例の光学式反射物体検出装置１００Ｆは、タッチスイッチ、タッチセンサとして機能する光学式反射物体検出装置である。図１２に示すように、光学式反射物体検出装置１００Ｆは、発光素子１と、受光素子２と、透明板部５Ｂと、遮光壁７と、を備える。光学式反射物体検出装置１００Ｆにおいて、発光素子１及び受光素子２は、光軸が透明板部５Ｂの平面に平行な方向（検出方向に垂直な方向）で、且つ光軸が透明板部５Ｂの厚さ内となるように配置されている。
【００６８】
透明板部５Ｂは、透明板部５と同様に反射部６を有する透明板であり、さらに発光素子１の出射光軸を反射部６に反射する反射面５４を有する。遮光壁７は、発光素子１及び受光素子２の間に設けられ、発光素子１から出射された光が、直接受光素子２に入射されることを防ぐ遮光壁である。
【００６９】
光学式反射物体検出装置１００Ｆにおいて、発光素子１から出射された光は、透明板部５Ｂの側面から入射され反射面５４で反射され、透明板部５Ｂを通って反射部６の反射面６ａで反射され、透明板部５Ｂを通って検出方向に放射される。その放射光は、被検出物Ｄ１で反射され、透明板部５Ｂを通って反射部６の反射面６ｂで反射され、透明板部５Ｂを通って受光素子２に入射される。
【００７０】
以上、本変形例によれば、光学式反射物体検出装置１００Ｆは、第１の実施の形態の光学式反射物体検出装置１００と同様の効果を奏する。また、光学式反射物体検出装置１００Ｆでは、透明板部５Ｂが反射面５４を有する。このため、発光素子１、受光素子２の光軸を平行にでき、発光素子１、受光素子２の配置方向等の自由度を上げることができる。
【００７１】
（第１の実施の形態の第８の変形例）
図１３を参照して、第１の実施の形態の第８の変形例を説明する。図１３に、本変形例の光学式反射物体検出装置１００Ｇの斜視の構成を示す。
【００７２】
本変形例の光学式反射物体検出装置１００Ｇは、タッチスイッチ、タッチセンサとして機能する光学式反射物体検出装置である。図１３に示すように、光学式反射物体検出装置１００Ｇは、発光素子１と、受光素子２と、透明板部５と、遮光壁７Ａと、導光部８ａ，８ｂと、を備える。光学式反射物体検出装置１００Ｇにおいて、発光素子１は、その光軸が導光部８ａの光軸に合せられて配置されている。受光素子２は、その光軸が導光部８ｂの光軸に合せられて配置されている。遮光壁７Ａは、発光素子１及び受光素子２の間に設けられ、発光素子１から出射された光が、直接受光素子２に入射されることを防ぐ遮光壁である。
【００７３】
導光部８ａ，８ｂは、光ファイバである。しかし、導光部８ａ，８ｂを、光導波路等、他の導光部で構成してもよい。導光部８ａは、一端の光軸が発光素子１の光軸に合せられ、他端の光軸が反射部６により検出方向に反射されるように、透明板部５の側面に接続されている。導光部８ｂは、一端の光軸が受光素子２の光軸に合せられ、他端の光軸が反射部６により検出方向に反射されるように、透明板部５の側面に接続されている。
【００７４】
光学式反射物体検出装置１００Ｇにおいて、発光素子１から出射された光は、導光部８ａを通って、透明板部５の側面から入射され反射部６の反射面６ａで反射され、透明板部５を通って検出方向に放射される。その放射光は、被検出物Ｄ１で反射され、透明板部５を通って反射部６の反射面６ｂで反射され、透明板部５Ｂ、導光部８ｂを通って受光素子２に入射される。
【００７５】
以上、本変形例によれば、光学式反射物体検出装置１００Ｇは、第１の実施の形態の光学式反射物体検出装置１００と同様の効果を奏する。また、光学式反射物体検出装置１００Ｇでは、導光部８ａ，８ｂを備える。このため、発光素子１、受光素子２の位置の自由度をさらに上げることができ、また、発光素子１、受光素子２の電気回路と、透明板部５による被検出物の検出領域との距離を離すことができる。
【００７６】
（第１の実施の形態の第９の変形例）
図１４を参照して、第１の実施の形態の第９の変形例を説明する。図１４に、本変形例の光学式反射物体検出装置１００Ｈの斜視の構成を示す。
【００７７】
本変形例の光学式反射物体検出装置１００Ｈは、タッチスイッチ、タッチセンサとして機能する光学式反射物体検出装置である。図１４に示すように、光学式反射物体検出装置１００Ｈは、発光素子１と、受光素子２１〜２５と、透明板部５Ｃと、を備える。透明板部５Ｃは、透明板部５と同様に反射部６１〜６５を有する透明板である。反射部６１〜６５は、それぞれ反射部６と同様の構成である。受光素子２５は、受光素子２と同様の構成である。
【００７８】
光学式反射物体検出装置１００Ｈにおいて、１個の発光素子１から出射された光は、５個の反射部６１〜６５それぞれの反射面６ａに導かれて反射され、被検出物及び反射部６１〜６５の反射面６ｂで反射された後、５個の受光素子２１〜２５それぞれで受光される。そして、反射部６１〜６５の５個の検出方向の検出領域で、被検出物が受光素子２１〜２５により別々に検出される。なお、反射部の数と、受光素子の数とは、それぞれ、５以外の複数としてもよい。
【００７９】
より具体的には、発光素子１から出射された光は、透明板部５Ｃの側面から入射され反射部６５の反射面６ａにより反射されるとともに、反射部６５の反射面６ａを透過される。反射部６５の反射面６ａにより反射された光は、透明板部５Ｃを通って反射部６５上方の検出方向に放射される。その放射光は、被検出物で反射され、透明板部５Ｃを通って反射部６５の反射面６ｂで反射され、透明板部５Ｃを通って受光素子２５に入射される。
【００８０】
一方、反射部６５の反射面６ａを透過された光は、透明板部５Ｃを通って反射部６４の反射面６ａにより反射されるとともに、反射部６４の反射面６ａを透過される。反射部６４の反射面６ａにより反射された光は、透明板部５Ｃを通って反射部６４上方の検出方向に放射される。その放射光は、被検出物で反射され、透明板部５Ｃを通って反射部６４の反射面６ｂで反射され、透明板部５Ｃを通って受光素子２４に入射される。反射部６３，６２，６１においても、反射部６５と同様に、光の反射及び透過がなされる。このようにして、反射部６１〜６５に対応する５つの検出方向の被検出物が同時に検出可能となる。
【００８１】
以上、本変形例によれば、光学式反射物体検出装置１００Ｈは、第１の実施の形態の光学式反射物体検出装置１００と同様の効果を奏する。また、光学式反射物体検出装置１００Ｈでは、透明板部５Ｃが、光を反射及び透過する反射部６１〜６５を備え、１個の発光素子１と５個の受光素子とが対応付けて配置される。このため、少ない（１個）の発光素子１で、複数（５個）の被検出物を同時に検出できる。
【００８２】
（第１の実施の形態の第１０の変形例）
図１５を参照して、第１の実施の形態の第１０の変形例を説明する。図１５に、本変形例の光学式反射物体検出装置１００Ｉの斜視の構成を示す。
【００８３】
本変形例の光学式反射物体検出装置１００Ｉは、タッチスイッチ、タッチセンサとして機能する光学式反射物体検出装置である。図１５に示すように、光学式反射物体検出装置１００Ｉは、発光素子１と、受光素子２１〜２８と、透明板部５Ｃ１と、を備える。透明板部５Ｃ１は、透明板部５と同様のＬ字形状の透明板部である。透明板部５Ｃ１は、透明板５Ｃ１１，５Ｃ１２と、反射面５４Ａと、反射部６１〜６８と、を有する。
【００８４】
反射部６６〜６８は、それぞれ反射部６１と同様の構成である。受光素子２６〜２８は、それぞれ受光素子２１と同様の構成である。透明板５Ｃ１１は、平面板状の透明板であり、反射部６１〜６５が形成されている。透明板５Ｃ１２は、平面板状の透明板であり、反射部６６〜６８が形成されている。透明板５Ｃ１１，５Ｃ１２は、互いの平面が９０度で交わるよう配置され接続されている。透明板５Ｃ１１の平面の延在方向をＸ軸とし、透明板５Ｃ１２の平面の延在方向をＹ軸とする。透明板５Ｃ１１，５Ｃ１２の接続部分に、反射面５４Ａが配置されている。また、受光素子２１〜２８は、それぞれ順に、反射部６１〜６８に対応する位置に配置されている。
【００８５】
光学式反射物体検出装置１００Ｉにおいて、１個の発光素子１から出射された光は、５個の反射部６１〜６５それぞれの反射面６ａに導かれて反射され、被検出物及び反射部６１〜６５の反射面６ｂで反射された後、５個の受光素子２１〜２５それぞれで受光される。そして、反射部６１〜６５の５個の検出方向の検出領域で、被検出物が受光素子２１〜２５により別々に検出される。
【００８６】
また、反射部６１の反射面６ｂを透過された光は、反射面５４Ａで反射される。反射面５４Ａの反射光は、３個の反射部６６〜６８それぞれの反射面６ａに導かれて反射され、被検出物及び反射部６６〜６８の反射面６ｂで反射された後、３個の受光素子２６〜２８それぞれで受光される。そして、反射部６６〜６８の３個の検出方向の検出領域で、被検出物が受光素子２６〜２８により別々に検出される。なお、反射部の数と、受光素子の数とは、それぞれ、８以外の複数としてもよい。
【００８７】
より具体的には、発光素子１から出射された光は、透明板部５Ｃ１（透明板５Ｃ１１）の側面から入射され反射部６５の反射面６ａにより反射されるとともに、反射部６５の反射面６ａを透過される。反射部６５の反射面６ａにより反射された光は、透明板部５Ｃ１（透明板５Ｃ１１）を通って反射部６５上方の検出方向に放射される。その放射光は、被検出物で反射され、透明板部５Ｃ１（透明板５Ｃ１１）を通って反射部６５の反射面６ｂで反射され、透明板部５Ｃ１（透明板５Ｃ１１）を通って受光素子２５に入射される。
【００８８】
一方、反射部６５の反射面６ａを透過された光は、透明板部５Ｃ１（透明板５Ｃ１１）を通って反射部６４の反射面６ａにより反射されるとともに、反射部６４の反射面６ａを透過される。反射部６４の反射面６ａにより反射された光は、透明板部５Ｃ１（透明板５Ｃ１１）を通って反射部６４上方の検出方向に放射される。その放射光は、被検出物で反射され、透明板部５Ｃを通って反射部６４の反射面６ｂで反射され、透明板部５Ｃを通って受光素子２４に入射される。反射部６３，６２，６１においても、反射部６１と同様に、光の反射及び透過がなされる。
【００８９】
また、反射部６１の反射面６ａの透過光は、透明板部５Ｃ１（透明板５Ｃ１１）を通って反射面５４Ａで反射され、透明板部５Ｃ１（透明板５Ｃ１２）を通って反射部６６の反射面６ａに入射される。反射部６６，６７，６８においても、反射部６５と同様に、光の反射及び透過がなされる。このようにして、反射部６１〜６８に対応する８つの検出方向の被検出物が同時に検出可能となる。
【００９０】
以上、本変形例によれば、光学式反射物体検出装置１００Ｉは、第１の実施の形態の光学式反射物体検出装置１００と同様の効果を奏する。また、光学式反射物体検出装置１００Ｉでは、透明板部５Ｃが、光を反射及び透過する反射部６１〜６５を備え、１個の発光素子１と５個の受光素子とが対応付けて配置される。このため、少ない（１個の）発光素子１で、複数方向（Ｘ軸、Ｙ軸の２方向）の直線状に複数（８個）の被検出物を同時に検出できる。
【００９１】
（第２の実施の形態）
図１６〜図２２を参照して、本発明に係る第２の実施の形態を説明する。先ず、図１６及び図１７を参照して、本実施の形態の装置構成を説明する。図１６に、本実施の形態のタッチパネル２００の斜視の構成を示す。図１７（ａ）に、タッチパネル２００の正面の構成を示す。図１７（ｂ）に、タッチパネル２００の側面の構成を示す。図１７（ｃ）に、タッチパネル２００の上面の構成を示す。
【００９２】
本実施の形態のタッチパネル２００は、表示器により表示される表示画面に対応して、ユーザからの指、タッチペン等による位置入力を受け付ける装置である。図１６及び図１７（ａ）〜（ｃ）に示すように、タッチパネル２００は、発光素子１１〜１４と、受光素子２１〜２５と、透明板部５Ｄと、基板９と、を備える。発光素子１１〜１４は、それぞれ発光素子１と同様である。発光素子１１〜１４及び受光素子２１〜２５は、光軸が透明板部５Ｄの配置面に平行になるように基板９上に配置されている。各反射部６は、発光素子１１〜１４の出射光軸を透過させるとともに透明板部５Ｄの平面（正面、表面）に垂直な方向に反射させる反射面６ａと、受光素子２１〜２５の入射光軸を透過させるとともに透明板部５Ｄの平面に垂直な方向に反射させる反射面６ｂと、を有する。基板９は、Ｌ字形状の基板であり、発光素子１１〜１４及び受光素子２１〜２５が配置され、透明板部５Ｄが配置されていない。
【００９３】
タッチパネル２００において、発光素子１１〜１４、受光素子２１〜２５は、発光素子１１〜１４から出射された光が直接受光素子２１〜２５に入射しない（基板９上の）位置に配置されている。また、発光素子１１〜１４及び受光素子２１〜２５は、光軸が、透明板部５Ｄ内を通り、且つ透明板部５Ｄの平面（表面）に平行になるように配置されている。
【００９４】
透明板部５Ｄは、透明板部５と同様に、複数の反射部６を有する。図１７（ｂ）において、透明板部５Ｄの左→右の方向をＸ方向とし、同じく上→下の方向をＹ方向とする。複数の反射部６は、透明板部５ＤのＸ−Ｙ平面においてマトリクス状に配置されている。また、タッチパネル２００において、発光素子１１〜１４の出射光軸と、受光素子２１〜２５の入射光軸と、が交差する透明板部５Ｄの部分に、反射部６が配置されている。
【００９５】
ここで、複数の反射部６を、座標（ｘ，ｙ）で示す。但し、ｘ：１〜５の整数、ｙ：１〜４の整数、である。透明板部５ＤのＸ−Ｙ平面の左上→右上に、反射部６（１，１）〜６（５，１）が配置されている。透明板部５ＤのＸ−Ｙ平面の一段Ｙ方向にずれて、左→右に、反射部６（１，２）〜６（５，２）が配置されている。同様にして、透明板部５ＤのＸ−Ｙ平面に、反射部６（１，３）〜６（５，４）が配置されている。つまり、反射部６（ｘ，ｙ）は、発光素子１ｙと、受光素子２ｘと、に対応して配置されている。
【００９６】
タッチパネル２００の透明板部５Ｄの下には、表示部（表示器４）が設けられることとしてもよい。
【００９７】
次に、図１８〜図２２を参照して、タッチパネル２００の動作を説明する。先ず、図１８〜図２０を参照して、透明板部５Ｄ上に１個の被検出物Ｄ２が置かれた場合のタッチパネル２００の動作を説明する。図１８に、反射部６（２，２）上に被検出物Ｄ２が置かれたタッチパネル２００の斜視の構成を示す。図１９（ａ）に、反射部６（２，２）上に被検出物Ｄ２が置かれたタッチパネル２００の正面の構成を示す。図１９（ｂ）に、反射部６（２，２）上に被検出物Ｄ２が置かれたタッチパネル２００の側面の構成を示す。図１９（ｃ）に、反射部６（２，２）上に被検出物Ｄ２が置かれたタッチパネル２００の上面の構成を示す。図２０に、発光素子１１〜１４の入力信号と、受光素子２１〜２５の出力信号と、のタイミングチャートを示す。
【００９８】
図１８及び図１９（ａ）〜（ｃ）に示すように、透明板部５Ｄをユーザが１本の指、タッチペン等でタッチ入力したことを、１個の被検出物Ｄ２が透明板部５Ｄ上に置かれたことで表わすものとする。例えば、被検出物Ｄ２が透明板部５Ｄ上の、反射部６（２，２）に対応する位置に置かれた場合を説明する。
【００９９】
図２０に示すように、発光素子１１〜１４を周期的に１個だけ発光するように順番に点灯させるような入力信号が発光素子１１〜１４に入力される。入力信号がオンの時間に、その発光素子が発光する。これにより、その時がどの行（Ｙ座標）の発光素子が発光しているかが判るようになる。発光素子１１〜１４から出射された光が、透明板部５Ｄの側面から入射され反射部６の反射面６ａにより透過されるとともに反射され、その反射光が透明板部５Ｄを通って透明板部５Ｄの正面（タッチ面）から放射される。その透過光は、透明板部５Ｄを通って隣の反射部６の反射面６ａにより透過されるとともに反射され、その反射光が透明板部５Ｄを通って透明板部５Ｄの正面（タッチ面）から放射される。このようにして、発光している発光素子の行について全ての反射部６の位置から光が放射される。
【０１００】
このとき、被検出物Ｄ２が透明板部５Ｄのタッチ面に接触すると、発光素子が発光している時に、上記放射された光が、被検出物Ｄ２により反射され、透明板部５Ｄを通って反射部６の反射面６ｂにより反射され、同じ列の反射部６の反射面６ｂを透過され、その列の受光素子に入射される。受光素子２１〜２５の出力信号は、光が入射した時間にオンとなる。この時、発光している発光素子の行（Ｙ座標）と、受光した受光素子の列（Ｘ座標）により、どの座標（ｘ、ｙ）がタッチされたかが検出される。例えば、被検出物Ｄ２が反射部６（４，３）上に置かれた場合に、図２０に示すように、発光素子１３が発光している時間に、受光素子２４の出力信号がオンになる。このため、座標（４，３）にタッチ入力がなされていることが検出される。
【０１０１】
次いで、図２１及び図２２（ａ）〜（ｄ）を参照して、透明板部５Ｄ上に２個の被検出物が置かれた場合のタッチパネル２００の動作を説明する。図２１に、被検出物Ｄ３１〜Ｄ５２が置かれたタッチパネル２００の平面の構成を示す。図２２（ａ）に、発光素子１１〜１４の入力信号のタイミングチャートを示す。図２２（ｂ）に、被検出物Ｄ３１，Ｄ３２が置かれた場合の受光素子２１〜２５の出力信号のタイミングチャートを示す。図２２（ｃ）に、被検出物Ｄ４１，Ｄ４２が置かれた場合の受光素子２１〜２５の出力信号のタイミングチャートを示す。図２２（ｄ）に、被検出物Ｄ５１，Ｄ５２が置かれた場合の受光素子２１〜２５の出力信号のタイミングチャートを示す。
【０１０２】
最近のタッチパネルにおいて、マルチタッチ（複数のタッチ箇所の同時検出）が実施され、機器の操作性の向上等が図られている。このマルチタッチは、タッチパネル２００でも可能である。図２１に示すように、透明板部５Ｄ上に、被検出物Ｄ３１，Ｄ３２、被検出物Ｄ４１，Ｄ４２、又は被検出物Ｄ５１，Ｄ５２が置かれた場合を説明する。図２１では、同時に６個の被検出物Ｄ３１〜Ｄ５２が透明板部５Ｄ上に置かれているように表されているが、同時に２個ずつ置かれるものとする。
【０１０３】
図２２（ａ）に示すように、発光素子１１〜１４を周期的に１個だけ発光するように順番に点灯させるような入力信号が発光素子１１〜１４に入力される。例えば、同時に被検出物Ｄ３１，Ｄ３２が反射部６（１，２），６（５，４）上に置かれた場合に、図２２（ｂ）に示すように、発光素子１２が発光している時間に、受光素子２１の出力信号がオンになり、発光素子１４が発光している時間に、受光素子２５の出力信号がオンになる。このため、座標（１，２）、（５，４）に同時にタッチ入力がなされていることが検出される。
【０１０４】
また、例えば、同時に被検出物Ｄ４１，Ｄ４２が反射部６（２，３），６（４，３）上に置かれた場合に、図２２（ｃ）に示すように、発光素子１３が発光している時間に、受光素子２２，２４の出力信号がオンになる。このため、座標（２，３）、（４，３）に同時にタッチ入力がなされていることが検出される。
【０１０５】
また、例えば、同時に被検出物Ｄ５１，Ｄ５２が反射部６（３，２），６（３，４）上に置かれた場合に、図２２（ｄ）に示すように、発光素子１２，１４が発光している時間に、受光素子２３の出力信号がオンになる。このため、座標（３，２）、（３，４）に同時にタッチ入力がなされていることが検出される。同時に検出できる透明板部５Ｄの位置（座標）は、２個に限定されるものではなく、３個以上でも同様である。
【０１０６】
以上、本実施の形態によれば、タッチパネル２００では、透明板部５Ｄが、発光素子１１〜１４から出射された光を、透過するとともに、タッチ面（平面）に垂直な方向に反射し、このタッチ面に垂直な方向から入射された光を受光素子２１〜２５に反射するマトリクス状に配置された複数の反射部６を有する。このため、発光素子、受光素子のペアを対向して配置しなくてもよく、発光素子１１〜１４、受光素子２１〜２５の位置の自由度を上げることができる。
【０１０７】
また、タッチパネル２００では、透明板部５Ｄが、光を反射及び透過する複数の反射部６を備え、発光素子１１〜１４と受光素子２１〜２５とが対応付けて配置される。このため、複数のタッチ位置を同時に検出できる。
【０１０８】
また、発光素子及び受光素子の数を削減でき、タッチパネル２００の装置構成を簡単にすることができる。例えば、５行×４列の図２９の従来のタッチパネルでは、（５＋４）個の発光素子と、（５＋４）個の受光素子とが必要であったが、タッチパネル２００では、４個の発光素子と５個の受光素子とで構成できる。
【０１０９】
また、タッチパネル２００では、発光素子１１〜１４及び受光素子２１〜２５の光軸が透明板部５Ｄ内を通る。このため、従来の凹状のタッチ面を有するタッチパネルに比べて、タッチ面を高くすることができる。
【０１１０】
また、タッチパネル２００では、透明板部５Ｄが凹部としての反射部６を備える。このため、突起が無いタッチ面を実現できる。
【０１１１】
また、タッチパネル２００では、発光素子及び受光素子が配置された基板９が、透明板部５Ｄを取り囲む形状で無くＬ字形状である。このため、基板９の使用サイズを小さくできる。
【０１１２】
また、透明板部５Ｄが複数座標の反射部６を備え、発光素子１１〜１４と受光素子２１〜２５とが対応されて配置され、周期的に１個だけ発光するように順番に点灯させるような入力信号が発光素子１１〜１４に入力される。このため、どの発光素子に対応する座標でタッチされたかを特定でき、複数の座標（Ｙ座標）のタッチ位置を同時に検出できる。
【０１１３】
また、反射部６の反射面６ａ，６ｂの傾斜角度及び配置間隔を変えることにより、検出領域を変え、被検出物が透明板部５Ｄのタッチ面をタッチした場合にのみ、そのタッチ位置を検出することができる。
【０１１４】
また、タッチパネル２００では、太陽光等の外乱光で、受光素子が飽和した状態でも、指等のタッチで外乱光を遮ることになる。このため、外乱光がある場合にも、反射部６により発光素子の光が反射でき、どの発光素子の発光タイミングで、どの受光素子が受光したかが判り、そのタッチ位置が検出できる（但し、外乱光を受光していると認識できるような制御回路の追加が必要である）。
【０１１５】
（第２の実施の形態の第１の変形例）
図２３を参照して、第２の実施の形態の第１の変形例を説明する。図２３に、本変形例のタッチパネル２００Ａの上面の構成を示す。
【０１１６】
図２８に示すように、従来のタッチパネル４００において、透明板部５Ｈのタッチ面は平面である必要があり、曲面状のタッチパネルは出来なかった。なぜなら、タッチ面が凸曲面状だと、光が届かない場合があるためである。なお、抵抗膜方式、静電容量方式等他の方式のタッチパネルも平面状となっている場合がほとんどであった。これに対し、図２３に示すように、本実施の形態のタッチパネル２００Ａは、凸曲面状のタッチ面を有するタッチパネルである。
【０１１７】
タッチパネル２００Ａは、発光素子１１〜１４と、受光素子２１〜２４と、透明板部５Ｅと、表示器４と、基板９と、を備える。透明板部５Ｅは、透明板５１Ｄと、透明曲面部５５と、を有する。透明板５１Ｄは、透明板部５Ｄと同様の複数の反射部６を有する透明板である。透明曲面部５５は、透明板５１Ｄ上に一体的に形成され、透明板５１Ｄの逆側に凸曲面状のタッチ面を有する透明板である。表示器４は、透明板５１Ｄの下面に配置されている。
【０１１８】
タッチパネル２００Ａにおいて、タッチパネル２００と同様に、発光素子１１〜１４を周期的に１個だけ発光するように順番に点灯させるような入力信号が発光素子１１〜１４に入力される。発光素子１１〜１４から出射された光が、透明板部５Ｅの側面から入射され反射部６の反射面６ａにより透過されるとともに反射され、その反射光が透明板部５Ｅを通って透明板部５Ｅの曲面（タッチ面）から放射される。このようにして、発光している発光素子の行について全ての反射部６の位置から光が放射される。このとき、被検出物（指等）が透明板部５Ｅのタッチ面に接触すると、発光素子が発光している時に、上記放射された光が、被検出物により反射され、透明板部５Ｅを通って反射部６の反射面６ｂにより反射され、同じ列の反射部６の反射面６ｂを透過され、その列の受光素子に入射される。この時、発光している発光素子の行（Ｙ座標）と、受光した受光素子の列（Ｘ座標）とにより、どの座標（ｘ，ｙ）がタッチされたかが検出される。
【０１１９】
以上、本変形例によれば、タッチパネル２００Ａは、第２の実施の形態のタッチパネル２００と同様の効果を奏する。また、タッチパネル２００Ａは、タッチ面が曲面の透明板部５Ｅを備える。このため、デザイン性に優れた外観のタッチパネルを実現できる。なお、透明板部の厚さの中心から正面（タッチ面）側の厚さと逆の面（表示面）側の厚さとが同じとなるような１枚の曲面形状の透明板部の構成としてもよい。
【０１２０】
（第２の実施の形態の第２の変形例）
図２４を参照して、第２の実施の形態の第２の変形例を説明する。図２４に、本変形例のタッチパネル２００Ｂの上面の構成を示す。
【０１２１】
図２４に示すように、タッチパネル２００Ｂは、発光素子１１〜１４と、受光素子２１〜２４と、透明板部５Ｄ，５Ｆと、表示器４と、基板９と、を備える。透明板部５Ｆは、透明曲面部５５と同様に透明板５１Ｄの逆側に凸曲面状のタッチ面を有する透明板である。透明板部５Ｆは、透明板５１Ｄ上に接着されている。
【０１２２】
タッチパネル２００Ｂにおいて、タッチパネル２００と同様に、発光素子１１〜１４を周期的に１個だけ発光するように順番に点灯させるような入力信号が発光素子１１〜１４に入力される。発光素子１１〜１４から出射された光が、透明板部５Ｄの側面から入射され反射部６の反射面６ａにより透過されるとともに反射され、透明板部５Ｄ，５Ｆを通って透明板部５Ｆの曲面（タッチ面）から放射される。このようにして、発光している発光素子の行について全ての反射部６の位置から光が放射される。このとき、被検出物（指等）が透明板部５Ｆのタッチ面に接触すると、発光素子が発光している時に、上記放射された光が、被検出物により反射され、透明板部５Ｆ，５Ｄを通って反射部６の反射面６ｂにより反射され、同じ列の全ての反射部６の反射面６ｂを透過され、その列の受光素子で検出される。この時、発光している発光素子の行（Ｙ座標）と、受光した受光素子の列（Ｘ座標）とにより、どの座標（ｘ，ｙ）がタッチされたかが検出される。
【０１２３】
以上、本変形例によれば、タッチパネル２００Ｂは、第２の実施の形態のタッチパネル２００と同様の効果を奏する。また、タッチパネル２００Ｂは、透明板部５Ｄと、タッチ面が曲面の透明板部５Ｆとを備える。このため、デザイン性に優れた外観のタッチパネルを実現できる。なお、透明板部５Ｆのタッチ面を平面とした構成としてもよい。また、正面（タッチ面）側の透明板部の厚さと、逆の面（表示面）側の透明板部の厚さとが同じとなるような２枚の曲面形状の透明板部の構成としてもよい。
【０１２４】
（第２の実施の形態の第３の変形例）
図２５（ａ），（ｂ）を参照して、第２の実施の形態の第３の変形例を説明する。図２５（ａ）に、本変形例のタッチパネル２００Ｃの上面の構成を示す。図２５（ｂ）に、図２５（ａ）の矢印XXVbから視たタッチパネル２００Ｃの構成を示す。
【０１２５】
図２５（ａ），（ｂ）に示すように、タッチパネル２００Ｃは、発光素子１１〜１４と、受光素子２１〜２５と、透明板部５Ｇと、表示器４と、基板９と、を備える。透明板部５Ｇは、透明板５１Ｄと同様の透明板であり、さらに、発光素子１１〜１４の出射光軸を反射部６に反射させる反射面５６と、受光素子２１〜２４の入射光軸を反射部６に反射させる反射面５７と、を有する。発光素子１１〜１４及び受光素子２１〜２４は、光軸が基板９上の平面に垂直になるように基板９上に配置されている。
【０１２６】
タッチパネル２００Ｃにおいて、タッチパネル２００と同様に、発光素子１１〜１４を周期的に１個だけ発光するように順番に点灯させるような入力信号が発光素子１１〜１４に入力される。発光素子１１〜１４から出射された光が、透明板部５Ｇを通って反射面５６により反射され、透明板部５Ｇを通って反射部６により透過されるとともに反射され、その反射光が透明板部５Ｇを通って透明板部５Ｇの上面（タッチ面）から放射される。このようにして、発光している発光素子の行について全ての反射部６の位置から光が放射される。このとき、被検出物が透明板部５Ｇのタッチ面に接触すると、発光素子が発光している時に、上記放射された光が、被検出物（指等）により反射され、透明板部５Ｇを通って反射部６により反射され、透明板部５Ｇを通って反射面５７により受光素子に反射され、その受光素子で検出される。この時、発光している発光素子の行（Ｙ座標）と、受光した受光素子の列（Ｘ座標）とにより、どの座標（ｘ，ｙ）がタッチされたかが検出される。
【０１２７】
以上、本変形例によれば、タッチパネル２００Ｃは、第２の実施の形態のタッチパネル２００と同様の効果を奏する。また、タッチパネル２００Ｃでは、反射面５６，５７を有する透明板部５Ｇを備える。このため、発光素子１１〜１４、受光素子２１〜２４の光軸をタッチ面（平面）と垂直な方向に配置でき、発光素子１１〜１４、受光素子２１〜２４の配置方向等の自由度を上げることができる。
【０１２８】
なお、上記実施の形態における記述は、本発明に係る光学式反射物体検出装置及びタッチパネルの一例であり、これに限定されるものではない。
【０１２９】
例えば、上記各実施の形態及び各変形例の少なくとも２つを適宜組み合わせることとしてもよい。また、上記第１の実施の形態及びその各変形例において、光学式反射物体検出装置を、発光素子及び受光素子を一体化したフォトリフレクタとして構成してもよい。
【０１３０】
また、第１の実施の形態の第４〜第１０の変形例において、発光素子及び受光素子に代えて、一体型のフォトリフレクタ素子等を備える構成としてもよく、封入の透明樹脂部に反射部を設ける構成としてもよい。
【０１３１】
また、第１の実施の形態の第４〜第１０の変形例、第２の実施の形態の各変形例において、透明板部を、赤外線は透過して可視光を透過しないものとし、発光素子を赤外光を出射するものとし、視覚上は不透明な光学式反射物体検出装置又はタッチパネルとして構成してもよい。
【０１３２】
また、第１の実施の形態の第４〜第１０の変形例、第２の実施の形態の各変形例において、透明板部の寸法（寸法比）は、任意に変更してもよい。例えば、平面板状の透明板部（透明板）の形状は、３辺のうち、被検出物の検出方向に垂直な２辺の各長さよりも、検出方向に平行な１辺の長さを大きくする形状としてもよい。
【０１３３】
また、第２の実施の形態の第１、第２の変形例において、透明板部５Ｅ，５Ｆは、凸曲面状のタッチ面を有する構成としたが、これに限定されるものではない。第１の実施の形態の第４〜第１０の変形例、第２の実施の形態の各変形例において、透明板部のタッチ面（検出方向の被検出物側の表面）を、平面、凸曲面状等の曲面、傾斜面、曲線状の面、櫛型形状の面等、他の形状の面としてもよい。
【０１３４】
また、第２の実施の形態及びその変形例において、４個の発光素子と５個の受光素子とを用いて、タッチパネルにおける検出の座標を４行×５列として構成したが、これに限定されるものではない。例えば、ｍ個の発光素子とｎ個の受光素子（ｍ，ｎ：任意の自然数）とを用いて、タッチパネルにおける検出の座標をｍ行×ｎ列として構成してもよい。また、ｎ個の発光素子とｍ個の受光素子とを用いて、タッチパネルにおける検出の座標をｍ行×ｎ列として構成してもよい。
【０１３５】
その他、上記各実施の形態及び各変形例における光学式反射物体検出装置及びタッチパネルの細部構成及び詳細動作に関しても、本発明の趣旨を逸脱しない範囲で適宜変更可能である。
【符号の説明】
【０１３６】
１００，１００Ａ，１００Ｂ，１００Ｃ，１００Ｄ，１００Ｅ，１００Ｆ，１００Ｇ，１００Ｈ，１００Ｉ  光学式反射物体検出装置
２００，２００Ａ，２００Ｂ，２００Ｃ  タッチパネル
１，１１，１２，１３，１４  発光素子
２，２１，２２，２３，２４，２５，２６，２７，２８  受光素子
３，３Ａ，３Ｂ，３１，３２，３３，３４，６，６１，６２，６３，６４，６５，６６，６７，６８  反射部
３ａ，３ｂ，３ｃ，３ｄ，３ｅ，３ｆ，６ａ，６ｂ  反射面
４  表示器
５，５Ａ，５Ｂ，５Ｃ，５Ｃ１，５Ｄ，５Ｅ，５Ｆ，５Ｇ  透明板部
５Ｃ１１，５Ｃ１２  透明板
５２，５３  透明反射部
５２ａ，５３ａ，５４，５４Ａ，５６，５７  反射面
５１，５１Ｄ  透明板
５５  透明曲面部
７，７Ａ，７Ｂ  遮光壁
８ａ，８ｂ  導光部
９  基板
Ｄ１，Ｄ２，Ｄ３１，Ｄ３２，Ｄ４１，Ｄ４２，Ｄ５１，Ｄ５２  被検出物
３００，３００Ａ  光学式反射物体検出装置
４００  タッチパネル
１Ａ，１１Ｂ，１２Ｂ，１３Ｂ，１４Ｂ，１５Ｂ，１６Ｂ，１７Ｂ，１８Ｂ，１９Ｂ  発光素子
２Ａ，２１Ｂ，２２Ｂ，２３Ｂ，２４Ｂ，２５Ｂ，２６Ｂ，２７Ｂ，２８Ｂ，２９Ｂ  受光素子
５Ｈ  透明板部
７Ａ  遮光壁
９，９Ａ，９Ｂ  基板
ＡＲ，ＡＲ１，ＡＲ２  検出領域
【図１】
0005463854.tif 000002
【図２】
0005463854.tif 000003
【図３】
0005463854.tif 000004
【図４】
0005463854.tif 000005
【図５】
0005463854.tif 000006
【図６】
0005463854.tif 000007
【図７】
0005463854.tif 000008
【図８】
0005463854.tif 000009
【図９】
0005463854.tif 000010
【図１０】
0005463854.tif 000011
【図１１】
0005463854.tif 000012
【図１２】
0005463854.tif 000013
【図１３】
0005463854.tif 000014
【図１４】
0005463854.tif 000015
【図１５】
0005463854.tif 000016
【図１６】
0005463854.tif 000017
【図１７】
0005463854.tif 000018
【図１８】
0005463854.tif 000019
【図１９】
0005463854.tif 000020
【図２０】
0005463854.tif 000021
【図２１】
0005463854.tif 000022
【図２２】
0005463854.tif 000023
【図２３】
0005463854.tif 000024
【図２４】
0005463854.tif 000025
【図２５】
0005463854.tif 000026
【図２６】
0005463854.tif 000027
【図２７】
0005463854.tif 000028
【図２８】
0005463854.tif 000029
【図２９】
0005463854.tif 000030